(57)【要約】【課題】余剰電力の発生を適切に抑制する。【解決手段】発電システム１１は、受光した光に応じて発電する太陽光発電モジュール１２と、太陽光発電モジュール１２により発電された電力を蓄電する二次電池１３と、太陽光発電モジュール１２の発電効率を制御する発電効率制御IC２１と、二次電池１３の充電状態を検知して、二次電池１３への充電を制御するバッテリ充電制御IC２３とを備える。そして、発電効率制御IC２１は、太陽光発電モジュール１２において電力が発電可能な状態であるとき、二次電池１３が満充電状態であり、かつ、二次電池１３に接続された負荷が電力を消費しない状態である場合に、低発電効率で発電を行うように太陽光発電モジュール１２を制御する。本発明は、例えば、色素増感型の太陽電池を採用した太陽光発電システムに適用できる。【選択図】図１
2012135105.tif 000002
【特許請求の範囲】
【請求項１】
受光した光に応じて発電する発電モジュールの発電効率を制御する発電効率制御手段と、
前記発電モジュールにより発電された電力を蓄電する蓄電手段の充電状態を検知して、前記蓄電手段への充電を制御する充電制御手段と
を備え、
前記発電効率制御手段は、前記発電モジュールにおいて電力が発電可能な状態であるとき、前記蓄電手段が満充電状態であり、かつ、前記蓄電手段に接続された負荷が電力を消費しない状態である場合に、低発電効率で発電を行うように前記発電モジュールを制御する
発電制御装置。
【請求項２】
前記発電効率制御手段は、前記発電モジュールにおいて電力が発電可能な状態であるとき、前記蓄電手段が満充電状態であり、かつ、前記蓄電手段に接続された負荷が電力を消費しない状態である場合に、前記発電制御装置の駆動に必要とされる最小の電力を出力するような発電効率で前記発電モジュールを制御する
請求項１に記載の発電制御装置。
【請求項３】
前記発電モジュールから出力される電力の電圧を、前記蓄電手段の蓄電に必要な規定の電圧に変換する電圧変換手段
をさらに備え、
前記発電制御装置の駆動に必要とされる最小の電力は、前記発電モジュールの電圧電流特性と前記電圧変換手段の変換効率とに基づいて求められる
請求項１に記載の発電制御装置。
【請求項４】
受光した光に応じて発電する発電モジュールの発電効率を制御し、
前記発電モジュールにより発電された電力を蓄電する蓄電手段の充電状態を検知して、前記蓄電手段への充電を制御する
ステップを含み、
前記発電モジュールにおいて電力が発電可能な状態であるとき、前記蓄電手段が満充電状態であり、かつ、前記蓄電手段に接続された負荷が電力を消費しない状態である場合に、低発電効率で発電を行うように前記発電モジュールを制御する
発電制御方法。
【請求項５】
受光した光に応じて発電する発電モジュールと、
前記発電モジュールにより発電された電力を蓄電する蓄電手段と、
前記発電モジュールの発電効率を制御する発電効率制御手段と、
前記蓄電手段の充電状態を検知して、前記蓄電手段への充電を制御する充電制御手段と
を備え、
前記発電効率制御手段は、前記発電モジュールにおいて電力が発電可能な状態であるとき、前記蓄電手段が満充電状態であり、かつ、前記蓄電手段に接続された負荷が電力を消費しない状態である場合に、低発電効率で発電を行うように前記発電モジュールを制御する
発電システム。
【発明の詳細な説明】
【技術分野】
【０００１】
本発明は、発電制御装置および発電制御方法、並びに発電システムに関し、特に、余剰電力の発生を適切に抑制することができるようにした発電制御装置および発電制御方法、並びに発電システムに関する。
【背景技術】
【０００２】
従来、太陽電池と二次電池とが組み合わされて構成された発電システムであるハイブリッドシステムでは、太陽電池により発電された電力が直接的に機器に供給されたり、太陽電池により発電され二次電池に蓄電された電力が機器に供給される。
【０００３】
通常、太陽電池による発電量は、太陽電池が設置された環境（太陽光の照射状況など）に依存する。また、二次電池の充放電状況は、電力を使用する機器の使用頻度や環境などに依存する。このため、太陽電池による発電量と、二次電池の放電状況との間には相関性はない。
【０００４】
従って、例えば、太陽光などの光が照射されずに太陽電池による発電が行われず、かつ、機器の使用頻度が高くて二次電池の放電量が大きい状況が発生することが想定される。このような状況では、家庭用電源などから供給される電力が二次電池に充電されるとともに、機器に供給される。
【０００５】
一方、直射日光などの光が照射されて太陽電池による発電が行われ、かつ、二次電池が十分に充電されていて二次電池に充電を行う必用がない状況が発生することが想定される。このような状況では、一般的には、そのままの状態が維持され、太陽電池が発電しているにも係わらず、発電した電力を出力することができないこととなる。
【０００６】
このように、発電した電力を出力することができない状況は、太陽電池の種類によっては好ましくないため、発電したが出力することができない余剰な電力（以下、適宜、余剰電力と称する）を、抵抗などにより熱に変換して破棄する方法が提案されている。
【０００７】
また、特許文献１には、余剰電力を破棄するための抵抗を採用せず、太陽電池の出力を短絡することで余剰電力の発生を制御する方法が提案されている。
【先行技術文献】
【特許文献】
【０００８】
【特許文献１】特開２００３−８７９９３号公報
【発明の概要】
【発明が解決しようとする課題】
【０００９】
しかしながら、特許文献１で提案されている方法は、概念的には有効であると考えられるものの、太陽電池の出力を短絡させることによる危険性が高く、現実的な方法ではないため、余剰電力の発生を適切に抑制することが求められている。
【００１０】
本発明は、このような状況に鑑みてなされたものであり、余剰電力の発生を適切に抑制することができるようにするものである。
【００１１】
本発明の一側面の発電制御装置は、受光した光に応じて発電する発電モジュールの発電効率を制御する発電効率制御手段と、前記発電モジュールにより発電された電力を蓄電する蓄電手段の充電状態を検知して、前記蓄電手段への充電を制御する充電制御手段とを備え、前記発電効率制御手段は、前記発電モジュールにおいて電力が発電可能な状態であるとき、前記蓄電手段が満充電状態であり、かつ、前記蓄電手段に接続された負荷が電力を消費しない状態である場合に、低発電効率で発電を行うように前記発電モジュールを制御する。
【００１２】
本発明の一側面の発電制御方法は、受光した光に応じて発電する発電モジュールの発電効率を制御し、前記発電モジュールにより発電された電力を蓄電する蓄電手段の充電状態を検知して、前記蓄電手段への充電を制御するステップを含み、前記発電モジュールにおいて電力が発電可能な状態であるとき、前記蓄電手段が満充電状態であり、かつ、前記蓄電手段に接続された負荷が電力を消費しない状態である場合に、低発電効率で発電を行うように前記発電モジュールを制御する。
【００１３】
本発明の一側面の発電制御方法は、受光した光に応じて発電する発電モジュールと、発電モジュールにより発電された電力を蓄電する蓄電手段と、発電モジュールの発電効率を制御する発電効率制御手段と、蓄電手段の充電状態を検知して、蓄電手段への充電を制御する充電制御手段とを備え、発電効率制御手段は、発電モジュールにおいて電力が発電可能な状態であるとき、蓄電手段が満充電状態であり、かつ、蓄電手段に接続された負荷が電力を消費しない状態である場合に、低発電効率で発電を行うように発電モジュールを制御する。
【００１４】
本発明の一側面においては、受光した光に応じて発電する発電モジュールの発電効率が制御され、発電モジュールにより発電された電力を蓄電する蓄電手段の充電状態を検知して、蓄電手段への充電が制御される。そして、発電モジュールにおいて電力が発電可能な状態であるとき、蓄電手段が満充電状態であり、かつ、蓄電手段に接続された負荷が電力を消費しない状態である場合に、低発電効率で発電を行うように発電モジュールが制御される。
【発明の効果】
【００１５】
本発明の一側面によれば、余剰電力の発生を適切に抑制することができる。
【図面の簡単な説明】
【００１６】
【図１】本発明を適用した発電システムの一実施の形態の構成例を示すブロック図である。
【図２】太陽電池発電モジュールの電圧電流特性を示す図である。
【図３】昇圧型DC/DCコンバータの変換効率特性を示す図である。
【図４】太陽光発電モジュールにより発電される電力を制御する処理を説明するフローチャートである。
【発明を実施するための形態】
【００１７】
以下、本発明を適用した具体的な実施の形態について、図面を参照しながら詳細に説明する。
【００１８】
図１は、本発明を適用した発電システムの一実施の形態の構成例を示すブロック図である。
【００１９】
図１において、発電システム１１は、太陽光発電モジュール１２、二次電池１３、および発電制御装置１４を備えて構成される。また、発電システム１１で発電された電力は、二次電池１３に接続された各種の電気機器などにより構成される負荷１５により消費される。
【００２０】
太陽光発電モジュール１２は、例えば、太陽光の照射に応じて電力を発生する複数のセル（太陽電池素子）を備えて構成される。セルには、例えば、有機系色素を用いた色素増感型の太陽電池が使用される。
【００２１】
色素増感型の太陽電池は、増感色素を担持させたチタニア多孔質電極と対極との間に電解質層を介在させた構造を有している。例えば、電解質層としてレドックス対（Ｉ−とＩ３−等）を含む電解液を使用した色素増感型太陽電池の場合、昼間などの発電時に光がチタニア多孔質電極に当たると、その光を増感色素が吸収してチタニア多孔質電極中に電子を放出する。このとき、増感色素に残されたホールは、ヨウ化物イオン（Ｉ−）を酸化して三ヨウ化物イオン（Ｉ３−）へと変える。また、チタニア多孔質電極中に放出された電子は、回路を経て対極に移動するとともに、そこで三ヨウ化物イオン（Ｉ３−）を還元してヨウ化物イオン（Ｉ−）へと変える。そして、このサイクルが連続して起こることにより、光エネルギーが電気エネルギーに変換されるようになっている。
【００２２】
なお、太陽光発電モジュール１２としては、例えば、単結晶または多結晶のシリコンを用いた結晶シリコン系太陽電池および非晶質（アモルファス）シリコン型の太陽電池を使用したセルを備えて構成してもよい。
【００２３】
二次電池１３は、例えば、リチウムイオン二次電池により構成される。二次電池１３は、太陽光発電モジュール１２により発電された電力を、発電制御装置１４の制御に従って充電し、その充電している電力を負荷１５に供給する。
【００２４】
発電制御装置１４は、太陽光発電モジュール１２の発電効率を制御するとともに、太陽光発電モジュール１２で発電された電力の二次電池１３への充電を制御する。例えば、発電制御装置１４は、発電効率制御IC（Integrated Circuit）２１、昇圧型DC/DC（Direct Current/Direct Current）コンバータ２２、バッテリ充電制御IC２３、および表示部２４を備えて構成される。
【００２５】
発電効率制御IC２１には、太陽光発電モジュール１２により発電された電力が供給される。発電効率制御IC２１は、例えば、MPPT（Maximum Power Point Tracker）制御などの制御方法により太陽光発電モジュール１２の発電効率を制御する。また、発電効率制御IC２１は、図２を参照して後述するように、二次電池１３の充電状況などに応じて、余剰電力の発生を抑制するように、太陽光発電モジュール１２の発電効率を制御する制御方法を切り替える。
【００２６】
昇圧型DC/DCコンバータ２２には、発電効率制御IC２１による発電効率の制御に従って変動する電圧の電力が発電効率制御IC２１から供給される。昇圧型DC/DCコンバータ２２は、その電圧を、二次電池１３の充電に必要な規定の電圧に昇圧する。昇圧型DC/DCコンバータ２２により昇圧された電力は、バッテリ充電制御IC２３を介して二次電池１３に供給されて充電される。また、昇圧型DC/DCコンバータ２２により昇圧された電力の一部は、発電制御装置１４の各部が駆動することによっても消費される。
【００２７】
バッテリ充電制御IC２３は、昇圧型DC/DCコンバータ２２により昇圧された電力の二次電池１３への充電を制御する。例えば、バッテリ充電制御IC２３は、二次電池１３の充電量を検知し、その充電量に応じて適切な充電が行われるように、二次電池１３に供給される電力を調整する。
【００２８】
また、バッテリ充電制御IC２３は、太陽光発電モジュール１２が太陽光を受光して発電動作を行っているときに、発電システム１１が、二次電池１３の充電が完了した状態であり、かつ、負荷１５が電力を消費しない状態（以下、適宜、無消費状態と称する）であるか否かを検知する。そして、バッテリ充電制御IC２３は、発電システム１１が無消費状態であると検知すると、その旨を発電効率制御IC２１に通知し、これにより発電効率制御IC２１において太陽光発電モジュール１２に対する発電効率の制御方法が切り替えられる。
【００２９】
表示部２４は、例えば、LEDなどを有して構成されており、LEDを点灯させることにより、発電システム１１の稼働状態などを表示する。このように、発電制御装置１４では、表示部２４により所定の電力を常に消費するように構成されている。
【００３０】
以上のように発電システム１１は構成されており、発電システム１１が無消費状態であるか否かに応じて、発電効率制御IC２１による太陽光発電モジュール１２に対する発電効率の制御方法が切り替えられ、余剰電力の発生が抑制される。なお、発電制御装置１４では、昇圧型DC/DCコンバータ２２およびバッテリ充電制御IC２３を、例えば、一体型IC２５により構成することができる。
【００３１】
次に、図２を参照して、発電効率制御IC２１による発電効率の制御方法について説明する。図２には、太陽光発電モジュール１２の電圧電流特性（モジュールＶ−Ｉ特性）が示されている。
【００３２】
図２では、横軸は電圧を示し、左側の縦軸は電流を示しており、図２において実線で表される曲線は、太陽光発電モジュール１２から出力される電力の電圧および電流の特性を表している。また、図２では、右側の縦軸は電力を示しており、図２において破線で表される曲線は、太陽光発電モジュール１２から出力される電力の特性を示している。
【００３３】
上述したように、発電効率制御IC２１は、太陽光発電モジュール１２が太陽光を受光して発電動作を行っているとき、発電システム１１が無消費状態であるか否かに応じて、制御方法を切り替えて太陽光発電モジュール１２の発電効率を制御する。
【００３４】
例えば、発電効率制御IC２１は、発電システム１１が無消費状態でない場合（つまり、二次電池１３に充電を行っている状態、または、二次電池１３を介して負荷１５に電力供給を行っている状態である場合）、太陽光発電モジュール１２の電圧電流特性の変動や、負荷１５で使用される電力の変動などに応じて、最大出力ポイントＰmaxをトラッキングするMPPT制御を行う。即ち、この場合、発電効率制御IC２１は、最大出力ポイントＰmaxで電力を出力することができる電圧Ｖmaxとなるような電流Ｉmaxの電力が太陽光発電モジュール１２から出力されるように、太陽光発電モジュール１２に対する制御を行う。
【００３５】
一方、発電効率制御IC２１は、発電システム１１が無消費状態である場合、太陽光発電モジュール１２の電圧電流特性の変動に応じて、最小出力ポイントＰminをトラッキングするように制御を行う。即ち、この場合、発電効率制御IC２１は、最小出力ポイントＰminで電力を出力することができる電圧Ｖminで、太陽光発電モジュール１２から電流Ｉminの電力が出力されるように、太陽光発電モジュール１２に対する制御を行う。
【００３６】
ここで、最小出力ポイントＰminで示される電力は、発電制御装置１４内の各部を駆動するのに必要な最小の電力に相当する。発電制御装置１４では、表示部２４のLEDを点灯するための電力や、図示しない稼働部を稼働するための電力が必要であり、それらの必要な電力を維持するように最小出力ポイントＰminが求められる。
【００３７】
また、発電効率制御IC２１が最小出力ポイントＰminで発電効率を制御することは、図２の電圧電流特性から分かるように、低発電効率（発電効率を低下させた状態）で太陽光発電モジュール１２を動作させることになる。
【００３８】
このように、発電システム１１では、発電システム１１が無消費状態である場合、太陽光発電モジュール１２で発電される電力を発電制御装置１４の内部で消費することができ、余剰電力の発生を適切に抑制することができる。
【００３９】
また、発電効率制御IC２１は、発電効率制御IC２１自身から出力される電力だけに基づいて最小出力ポイントＰminを決定するのではなく、昇圧型DC/DCコンバータ２２の変換効率を組み合わせて最小出力ポイントＰminを決定することができる。
【００４０】
図３には、昇圧型DC/DCコンバータ２２の変換効率（DC/CDコンバータ効率）の特性が示されている。図３において、横軸は昇圧型DC/DCコンバータ２２に入力される入力電圧を示し、縦軸は昇圧型DC/DCコンバータ２２の変換効率を示している。
【００４１】
図３に示すように、昇圧型DC/DCコンバータ２２は、例えば、最大効率が９０％となる性能を備えており、その変換効率は、変換効率９０％を最大点（極大点）とした凸形状の曲線により表される。即ち、昇圧型DC/DCコンバータ２２では、最大効率が得られる入力電圧と出力電圧との差が規定されており、この差が大きすぎると変換効率が著しく低下する。
【００４２】
このように変換効率が低下することを利用して、発電効率制御IC２１は、最小出力ポイントＰminを決定する。例えば、昇圧型DC/DCコンバータ２２の変換効率が10％となる入力電圧で昇圧型DC/DCコンバータ２２に電力が供給されるとし、表示部２４のLEDが10mA/3.3Vで駆動する場合、昇圧型DC/DCコンバータ２２には、300mWの電力を入力する必要がある。従って、この場合、発電効率制御IC２１は、最小出力ポイントＰminを300mWと決定し、太陽光発電モジュール１２から出力される電圧および電流を制御する。
【００４３】
このように、変換効率が低下する入力電圧を昇圧型DC/DCコンバータ２２に入力することで、図３の例では、最大効率９０％に対して１０％程度の変換効率で電圧が変換される。これにより、表示部２４のLED程度の微小な負荷だけで太陽光発電モジュール１２で発電した電力を消費することができる。
【００４４】
つまり、太陽光発電モジュール１２の発電効率が低下するような制御方法と、昇圧型DC/DCコンバータ２２において低変換効率で電圧を変換することとを組み合わせることで、より効果的に余剰電力の発生を抑制することができる。
【００４５】
次に、図４は、図１の発電制御装置１４が、太陽光発電モジュール１２により発電される電力を制御する処理を説明するフローチャートである。
【００４６】
ステップＳ１１において、発電効率制御IC２１は、例えば、太陽光が照射されて太陽光発電モジュール１２が発電状態であるか否かを判定し、太陽光発電モジュール１２が発電状態でないと判定した場合には処理を待機する。例えば、発電効率制御IC２１は、太陽光発電モジュール１２からの電力の供給を検出すると、太陽光発電モジュール１２が発電状態であると判定する。
【００４７】
ステップＳ１１において、発電効率制御IC２１が、太陽光発電モジュール１２が発電動作状態であると判定した場合、処理はステップＳ１２に進み、バッテリ充電制御IC２３は、発電システム１１における電力の消費状況を検知する。即ち、バッテリ充電制御IC２３は、二次電池１３の充電が必要な状況であるか、および、負荷１５が電力を消費する状況であるかを検知する。そして、バッテリ充電制御IC２３は、発電システム１１における電力の消費状況を発電効率制御IC２１に通知し、処理はステップＳ１３に進む。
【００４８】
ステップＳ１３において、発電効率制御IC２１は、ステップＳ１２でのバッテリ充電制御IC２３からの通知に基づいて、発電システム１１が無消費状態であるか否かを判定する。
【００４９】
ステップＳ１３において、発電効率制御IC２１が、発電システム１１が無消費状態でないと判定した場合、処理はステップＳ１４に進む。ステップＳ１４において、発電効率制御IC２１は、現在行われている制御方法が、最小出力ポイントＰminをトラッキングする制御方法であるとき、太陽光発電モジュール１２の発電効率を制御する制御方法を、最大出力ポイントＰmaxをトラッキングする制御方法（所謂、MPPT制御）に切り替える。なお、現在行われている制御方法が、最大出力ポイントＰmaxをトラッキングする制御方法であるとき、その制御方法が継続される。
【００５０】
一方、ステップＳ１３において、発電効率制御IC２１が、発電システム１１が無消費状態であると判定した場合、処理はステップＳ１５に進む。ステップＳ１５において、発電効率制御IC２１は、現在行われている制御方法が、最大出力ポイントＰmaxをトラッキングする制御方法であるとき、太陽光発電モジュール１２の発電効率を制御する制御方法を、最小出力ポイントＰminをトラッキングする制御方法に切り替える。なお、現在行われている制御方法が、最小出力ポイントＰminをトラッキングする制御方法であるとき、その制御方法が継続される。
【００５１】
ステップＳ１４またはＳ１５の処理後、処理はステップＳ１１に戻り、以下、同様の処理が繰り返される。
【００５２】
以上のように、発電システム１１では、発電システム１１が無消費状態である場合、発電制御装置１４の内部で消費することができる電力となるように、最小出力ポイントＰminをトラッキングする制御方法により太陽光発電モジュール１２の発電効率を制御するので、余剰電力の発生を適切に抑制することができる。即ち、発電システム１１では、発電システム１１が無消費状態であっても、太陽光発電モジュール１２を切り離すことがなく、かつ、太陽光発電モジュール１２を短絡させることがないので、太陽光発電モジュール１２の劣化を防止し、かつ、安全性が高い状態で、余剰電力の発生を抑制することができる。
【００５３】
例えば、余剰電力の発生を抑制する方法として、太陽電池の出力を開放する方法が考えられるが、この方法では、例えば、色素増感型の太陽電池では、分極が発生することにより、電池の特性劣化（即ち光電変換効率の低下）を引き起こす原因となる。また、余剰電力の発生を抑制する方法として、太陽電池の出力を短絡する方法が考えられるが、この方法では危険性が高くなる恐れがある。
【００５４】
これに対し、発電システム１１では、発電制御装置１４の内部で消費することができる程度の電力が太陽光発電モジュール１２から出力されるので、太陽光発電モジュール１２の出力を短絡させるような状態を回避し、安全性を高めることができる。さらに、発電システム１１では、有機系の材料を使用した色素増感型の太陽電池を採用した太陽光発電モジュール１２であっても分極が発生することを回避することができ、より効果的に劣化を抑制することができる。
【００５５】
また、例えば、従来の発電システムでは、無消費状態である場合、太陽電池発電モジュールで発電された余剰電力は、電力破棄用の抵抗やスイッチングトランジスタなどを使用して廃棄されていた。これに対し、発電システム１１は、無消費状態である場合、発電効率制御IC２１が最小出力ポイントＰ２で太陽光発電モジュール１２の発電効率を制御することができるので、上述の抵抗やスイッチングトランジスタなどを備える必要がない。これにより、例えば、余剰電力を破棄する抵抗などによる発熱を回避することができ、そのような発熱によって発電システム１１や二次電池１３など、または、これらを用いた機器に対する熱による悪影響を防止することができる。
【００５６】
以上のように、発電システム１１では、太陽光発電モジュール１２が受光し発電動作を行っている環境で、かつ、無消費状態である場合、太陽光発電モジュール１２の劣化を抑制することができる。従って、発電システム１１では、太陽光発電モジュール１２の発電性能を維持することができるとともに、太陽光発電モジュール１２の信頼性を向上させることができる。
【００５７】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【００５８】
また、本明細書において、システムとは、複数の装置により構成される装置全体を表すものである。
【００５９】
なお、上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のコンピュータなどに、プログラム記録媒体からインストールされる。
【００６０】
コンピュータでは、ROM（Read Only Memory）に記憶されているプログラムや、ハードディスクや不揮発性のメモリなどよりなる記憶部に記憶されているプログラムなどが、RAM（Random Access Memory）にロードされ、CPU（Central Processing Unit）により実行される。それにより、上述した一連の処理が行われる。
【００６１】
また、それらのプログラムは、あらかじめ記憶部に記憶させておく他、ネットワークインタフェースなどよりなる通信部を介して、あるいは、磁気ディスク（フレキシブルディスクを含む）、光ディスク（CD-ROM(Compact Disc-Read Only Memory),DVD(Digital Versatile Disc)等）、光磁気ディスク、または半導体メモリなどのリムーバブルメディアを駆動するドライブを介して、コンピュータにインストールすることができる。
【００６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。また、プログラムは、１つのCPUにより処理されるものであっても良いし、複数のCPUによって分散処理されるものであっても良い。
【００６３】
なお、本発明の実施の形態は、上述した実施の形態に限定されるものではなく、本発明の要旨を逸脱しない範囲において種々の変更が可能である。
【符号の説明】
【００６４】
１１  発電システム，  １２  太陽光発電モジュール，  １３  二次電池，  １４  発電制御装置，  １５  負荷，  ２１  発電効率制御IC，  ２２  昇圧型DC/DCコンバータ，  ２３  バッテリ充電制御IC，  ２４  表示部，  ２５  一体型IC
【図１】
2012135105.tif 000003
【図２】
2012135105.tif 000004
【図３】
2012135105.tif 000005
【図４】
2012135105.tif 000006